(57)【特許請求の範囲】
【請求項１】
植立穀稈を分草する分草具と、
前記分草具で分草された植立穀稈に引起し作用する複数の引起爪と、複数の前記引起爪が取り付けられ、左右方向に延びる軸心周りに回転可能な無端回動体と、を有し、機体の進行方向に沿う姿勢で設けられる引起装置と、を備え、
前記分草具に、後方に向かって開口する開口部が形成され、
前記引起装置は、前記引起爪が前記開口部内を通過する状態で、前記無端回動体が回転するように構成され、
前記分草具の左右部分が後広がり状態かつ後上がり状態で並ぶ左右の棒状部材によって構成されて、前記左右の棒状部材の間に前記開口部が形成され、
前記引起装置の下端部を、前記引起装置の下端部よりも後側で前後に延びる分草具フレームの前端部に支持する左右の取付プレートが備えられ、
前記引起装置の下端部と前記分草具フレームの前端部との間において、前記引起爪の回転軌跡が前記左右の取付プレートによって両横側方から覆われている自脱型コンバイン。
【請求項２】
前記開口部は、前記分草具の前端部まで達するように形成されている請求項１に記載の自脱型コンバイン。
【請求項３】
前記開口部は、前記分草具の前端と後端とに亘って前記分草具を貫通するように形成されている請求項１又は２に記載の自脱型コンバイン。
【請求項４】
前記開口部は、前記分草具の上端と下端とに亘って前記分草具を貫通するように形成され、
前記引起装置は、前記引起爪の先端が前記開口部内で前記分草具の上端と下端とに亘る回転軌跡を描くように構成されている請求項１から３のいずれか一項に記載の自脱型コンバイン。
【請求項５】
前記引起爪の先端の回転軌跡は、前記分草具の前後方向の長さの半分以上前記開口部内に入り込んだ位置に設定されている請求項４に記載の自脱型コンバイン。
【請求項６】
前記引起装置は、前記引起爪の先端が前記分草具フレームの上端よりも下方の位置を通過する回転軌跡を描くように構成されている請求項１から５のいずれか一項に記載の自脱型コンバイン。
【請求項７】
前記引起爪の先端の回転軌跡は、前記分草具フレームの上下方向の中心よりも下方の位置に設定されている請求項６に記載の自脱型コンバイン。
【発明の詳細な説明】
【技術分野】
【０００１】
本発明は、植立穀稈を分草する分草具と、機体の進行方向に沿う姿勢で設けられる引起装置と、を備える自脱型コンバインに関する。
【背景技術】
【０００２】
上記のような自脱型コンバインとして、例えば、特許文献１に記載のものが既に知られている。特許文献１に記載の自脱型コンバインは、植立穀稈を分草する分草具と、茎稈引起し爪が機体横方向に向けて突出する状態で植立穀稈の引起しを行う引起し装置と、茎稈引起し爪が機体前方に向けて突出する状態で植立穀稈の引起しを行う縦回し式の茎稈引起し装置と、を備えている。
【０００３】
茎稈引起し装置は、分草具で分草された植立穀稈に引起し作用する複数の引起爪（文献では「茎稈引起し爪」）を有している。このような自脱型コンバインによれば、植立穀稈が倒伏している場合でも、倒伏した植立穀稈が茎稈引起し装置によって引き起こされるので、倒伏時の刈取作業を容易に行うことができる。
【先行技術文献】
【特許文献】
【０００４】
【特許文献１】特開２０１４−４５６７０号公報
【発明の概要】
【発明が解決しようとする課題】
【０００５】
しかし、特許文献１に記載の自脱型コンバインでは、植立穀稈の倒伏の程度によっては、引起爪が植立穀稈に引起し作用する前に、植立穀稈が分草具によって引き抜かれてしまうことがあり、倒伏した植立穀稈を良好に引き起こす点で改善の余地がある。
【０００６】
上記状況に鑑み、倒伏した植立穀稈を良好に引き起こすことができる自脱型コンバインが要望されている。
【課題を解決するための手段】
【０００７】
本発明の特徴は、
植立穀稈を分草する分草具と、
前記分草具で分草された植立穀稈に引起し作用する複数の引起爪と、複数の前記引起爪が取り付けられ、左右方向に延びる軸心周りに回転可能な無端回動体と、を有し、機体の進行方向に沿う姿勢で設けられる引起装置と、を備え、
前記分草具に、後方に向かって開口する開口部が形成され、
前記引起装置は、前記引起爪が前記開口部内を通過する状態で、前記無端回動体が回転するように構成され、
前記分草具の左右部分が後広がり状態かつ後上がり状態で並ぶ左右の棒状部材によって構成されて、前記左右の棒状部材の間に前記開口部が形成され、
前記引起装置の下端部を、前記引起装置の下端部よりも後側で前後に延びる分草具フレームの前端部に支持する左右の取付プレートが備えられ、
前記引起装置の下端部と前記分草具フレームの前端部との間において、前記引起爪の回転軌跡が前記左右の取付プレートによって両横側方から覆われていることにある。
【０００８】
本特徴構成によれば、引起爪が開口部内を通過することにより、引起爪を分草具と干渉させることなく、引起装置を前下方に配置し易くなる。これにより、引起爪が早いタイミング（植立穀稈が分草具によって引き抜かれる前のタイミング）で植立穀稈に引起し作用し易くなるため、倒伏した植立穀稈を良好に引き起こすことができる。
本特徴構成によれば、棒状部材を加工するだけで、分草具を簡単に製造することができる。また、分草具が比較的細い部材の棒状部材であることから、植立穀稈に作用する分草具の面圧が小さくなり、植立穀稈が分草具によって引き抜かれ難くなる。
【０００９】
さらに、本発明において、
前記開口部は、前記分草具の前端部まで達するように形成されていると好適である。
【００１０】
本特徴構成によれば、引起爪を分草具と干渉させることなく、引起爪が分草具の前端部に達する程度にまで、引起装置を前下方に配置し易くなり、引起爪がより早いタイミングで植立穀稈に引起し作用し易くなる。
【００１１】
さらに、本発明において、
前記開口部は、前記分草具の前端と後端とに亘って前記分草具を貫通するように形成されていると好適である。
【００１２】
本特徴構成によれば、引起爪を分草具と干渉させることなく、引起爪が分草具の前端に達する程度にまで、引起装置を前下方に配置し易くなり、引起爪がより早いタイミングで植立穀稈に引起し作用し易くなる。また、開口部が分草具の前方に開放することになるので、例えば、無端回動体が弛んだ場合に、引起爪の先端の回転軌跡が前下方に移動したときでも、引起爪が分草具に干渉し難くなる。
【００１３】
【００１４】
【００１５】
さらに、本発明において、
前記開口部は、前記分草具の上端と下端とに亘って前記分草具を貫通するように形成され、
前記引起装置は、前記引起爪の先端が前記開口部内で前記分草具の上端と下端とに亘る回転軌跡を描くように構成されていると好適である。
【００１６】
本特徴構成によれば、引起爪が上下方向の広い範囲で植立穀稈に引起し作用するので、倒伏した植立穀稈を良好に引き起こすことができる。
【００１７】
さらに、本発明において、
前記引起爪の先端の回転軌跡は、前記分草具の前後方向の長さの半分以上前記開口部内に入り込んだ位置に設定されていると好適である。
【００１８】
本特徴構成によれば、引起爪が分草部の前部の位置でより早いタイミングで植立穀稈に引起し作用するので、倒伏した植立穀稈を良好に引き起こすことができる。
【００１９】
さらに、本発明において、
前記引起装置は、前記引起爪の先端が前記分草具フレームの上端よりも下方の位置を通過する回転軌跡を描くように構成されていると好適である。
【００２０】
本特徴構成によれば、引起爪が植立穀稈に対して下方から早いタイミングで引起し作用するので、倒伏した植立穀稈を良好に引き起こすことができる。
【００２１】
さらに、本発明において、
前記引起爪の先端の回転軌跡は、前記分草具フレームの上下方向の中心よりも下方の位置に設定されていると好適である。
【００２２】
本特徴構成によれば、倒伏の程度が大きい植立穀稈であっても、引起爪が植立穀稈に対して下方からタイミングで引起し作用するので、倒伏した植立穀稈を良好に引き起こすことができる。
【図面の簡単な説明】
【００２３】
【図１】自脱型コンバインを示す左側面図である。
【図２】自脱型コンバインを示す平面図である。
【図３】刈取部をメンテナンス姿勢に変更した状態を示す平面図である。
【図４】刈取部を概略的に示す平面図である。
【図５】刈取部を示す正面図である。
【図６】縦引起装置を示す左側面図である。
【図７】縦引起装置の下部を示す分解斜視図である。
【図８】図６におけるＶＩＩＩ−ＶＩＩＩ断面図である。
【図９】回転パッカを示す断面図である。
【図１０】左刈取ホルダの位置固定構造を示す正面断面図である。
【図１１】左刈取ホルダの位置固定構造を示す左側面断面図である。
【図１２】左刈取ホルダの位置固定構造を示す背面断面図である。
【図１３】（ａ）左刈取ホルダが通常作業姿勢の位置に固定された状態を示す平面断面図である。（ｂ）左刈取ホルダがメンテナンス姿勢の位置に固定された状態を示す平面断面図である。
【図１４】刈取入力ケースの受け部の構造を示す断面図である。
【図１５】第一の別実施形態に係る分草具を示す平面図である。
【図１６】（ａ）第二の別実施形態に係る分草具を示す左側面図である。（ｂ）同じく平面図である。
【発明を実施するための形態】
【００２４】
本発明を実施するための形態について、図面に基づき説明する。
【００２５】
〔自脱型コンバインの全体構成〕
図１から図３には、自脱型コンバインを示している。この自脱型コンバインは、クローラ式の走行装置１と、走行装置１で支持される機体フレーム２と、を備えている。機体フレーム２の前端部には、植立穀稈を刈り取る刈取部３が昇降可能に設けられている。刈取部３の後方には、運転キャビン４が設けられている。運転キャビン４の下部には、エンジンＥが設けられている。運転キャビン４の後方には、刈取穀稈を脱穀する脱穀装置５と、穀粒を貯留するグレンタンク６と、が左右方向に隣り合う状態で設けられている。グレンタンク６には、グレンタンク６内の穀粒を排出するアンローダ７が設けられている。
【００２６】
〔刈取部〕
刈取部３は、複数条刈りに構成されている。刈取部３は、例えば、五条刈りに構成されているが、二条刈り、三条刈り、四条刈り又は六条刈り以上に構成されていてもよい。刈取部３は、左右方向に延びる軸心Ｘ１周りで揺動することにより、上昇非作業位置と下降作業位置との間で昇降可能に構成されていると共に、上下方向に延びる軸心Ｚ１周りで揺動することにより、通常作業姿勢とメンテナンス姿勢とに変更可能に構成されている。
【００２７】
刈取部３は、左右方向に延びる刈取入力ケース８と、刈取入力ケース８から前下がりの傾斜姿勢で延びる刈取主フレーム９と、を有している。刈取入力ケース８には、エンジンＥからの動力が入力される刈取入力軸１０が内装されている。刈取入力ケース８は、左刈取ホルダ１１及び右刈取ホルダ１２に軸心Ｘ１周りで揺動可能に支持されている。また、刈取主フレーム９と機体フレーム２とに亘って、油圧式の昇降シリンダ１３が設けられている。昇降シリンダ１３が伸縮することにより、刈取主フレーム９及び刈取入力ケース８が軸心Ｘ１周りで揺動し、刈取部３が昇降する。
【００２８】
図４及び図５に示すように、刈取部３は、植立穀稈を分草する分草具１４及び分草具１５と、分草具１４及び分草具１５で分草された植立穀稈を引き起こす横引起装置１６及び縦引起装置１７（本発明に係る「引起装置」に相当）と、横引起装置１６及び縦引起装置１７で引き起こされた植立穀稈を掻き込む搬送ベルト１８と、横引起装置１６及び縦引起装置１７で引き起こされた植立穀稈を切断する切断装置１９（図１参照）と、を有している。さらに、刈取部３は、刈取穀稈の株元を掻き込む回転パッカ２０と、五条の刈取穀稈を合流させて後方に搬送する合流搬送装置２１と、合流搬送装置２１からの刈取穀稈を後方に搬送する扱深さ搬送装置２２と、扱深さ搬送装置２２からの刈取穀稈を脱穀装置５に供給するように後方に搬送する供給搬送装置２３と、を有している。
【００２９】
合流搬送装置２１は、五条の刈取穀稈のうち左側二条分の刈取穀稈を後方に搬送する左搬送装置２１Ｌと、五条の刈取穀稈のうち中側一条分の刈取穀稈を後方に搬送する中搬送装置２１Ｃと、五条の刈取穀稈のうち右側二条分の刈取穀稈を後方に搬送する右搬送装置２１Ｒと、有している。
【００３０】
搬送ベルト１８は、大径プーリ１８Ａと、小径プーリ１８Ｂと、大径プーリ１８Ａと小径プーリ１８Ｂとに亘って巻回されるベルト１８Ｃと、を有している。搬送ベルト１８と回転パッカ２０とは、回転軸２４を介して互いに同期して回転するように構成されている。
【００３１】
分草具１４は、左端の横引起装置１６とこれに隣接する横引起装置１６との間の位置、及び右端の横引起装置１６とこれに隣接する横引起装置１６との間の位置に、合計二つ設けられている。分草具１４は前後方向に延びる分草具フレーム３０の前端部に取り付けられている。
【００３２】
横引起装置１６は、機体の進行方向に対して横向きの姿勢で五つ設けられている。横引起装置１６は、分草具１４及び分草具１５で分草された植立穀稈に引起し作用する複数の横引起爪２５と、複数の横引起爪２５が起伏自在に取り付けられる横引起チェーン２６と、横引起ケース２７と、を有している。横引起チェーン２６は、駆動スプロケット２８と従動ローラ２９とに亘って巻回されている。
【００３３】
〔分草具〕
図５から図７に示すように、分草具１５は、縦引起装置１７に対応する位置に合計四つ設けられている。分草具１５は、棒状部材によって構成され、後方に向かって開口する略Ｖ字形状に形成されている。分草具１５は、後上がりの傾斜姿勢で横引起装置１６の下端部の直上方の位置まで延びるように形成されている。すなわち、本実施形態では、分草具１５は、植立穀稈を横引起装置１６に案内するガイド棒と一体に形成されている。
【００３４】
分草具１５のうち左側部分と右側部分との間には、後方に向かって開口する開口部１５Ａが形成されている。開口部１５Ａは、分草具１５の前端部まで達し、かつ、分草具１５の上端と下端とに亘って分草具１５を貫通するように形成されている。
【００３５】
分草具１５は、左右一対のブラケット１５Ｂを介して左右一対の取付プレート６０の前端部に取り付けられている。ブラケット１５Ｂは、分草具１５と取付プレート６０の夫々に溶接されている。左右一対の取付プレート６０は、前後方向に延びる分草具フレーム３１の前端部に取り付けられている。詳述すると、分草具フレーム３１の前端部には、前固定部３１ａ及び後固定部３１ｂが設けられている。そして、前固定部３１ａ及び後固定部３１ｂに、取付プレート６０がボルト６１によって固定されている。
【００３６】
〔縦引起装置〕
図５から図８に示すように、縦引起装置１７は、機体の進行方向に沿う姿勢で四つ設けられている。縦引起装置１７は、分草具１５で分草された植立穀稈に引起し作用する複数の縦引起爪３２と、複数の縦引起爪３２が起伏自在に取り付けられる縦引起チェーン３３（本発明に係る「無端回動体」に相当）と、縦引起ケース３４と、を有している。縦引起チェーン３３は、駆動スプロケット３５と従動ローラ３６とに亘って巻回されている。
【００３７】
駆動スプロケット３５は、縦引起ケース３４の上端部に左右方向に延びる軸心Ｘ２周りに回転可能に設けられている。駆動スプロケット３５には、横引起装置１６からの動力が伝動ケース３７内の伝動機構を介して伝達される。
【００３８】
従動ローラ３６は、縦引起ケース３４の下端部に左右方向に延びる軸心Ｘ３周りに回転可能に設けられている。従動ローラ３６は、ローラ軸３８を介してテンションアーム３９に回転可能に支持されている。テンションアーム３９は、テンションスプリング４０によって下方に付勢されている。こうして、従動ローラ３６がテンションアーム３９を介してテンションスプリング４０によって下方に付勢されることにより、縦引起チェーン３３に張力が付与される。
【００３９】
縦引起ケース３４の内側には、縦引起爪３２を起立姿勢で保持する案内レール４１や、起立姿勢の縦引起爪３２が接触することにより、縦引起爪３２を倒伏させるクッション４２が設けられている。また、縦引起ケース３４の後部には、縦引起ケース３４から外方に突出する縦引起爪３２が周囲の部材と接触するのを防止するために、左右一対の保護プレート４３が設けられている。
【００４０】
縦引起装置１７は、左右一対の取付プレート６０を介して分草具フレーム３１の前端部に取り付けられている。取付プレート６０には、前方に開口する前嵌合溝６０ａ及び上方に開口する後嵌合溝６０ｂが形成されている。そして、保護プレート４３と取付プレート６０とに亘る嵌合ピン６２が、前嵌合溝６０ａに嵌合することにより、縦引起装置１７の上下移動が阻止されると共に、後嵌合溝６０ｂに嵌合することにより、縦引起装置１７に前後移動が阻止される。
【００４１】
〔縦引起爪の先端の回転軌跡〕
図６に示すように、横引起装置１６からの動力が伝動ケース３７内の伝動機構を介して駆動スプロケット３５に伝達されることにより、縦引起爪３２が開口部１５Ａ内を通過する状態で、縦引起チェーン３３が回転する。こうして、縦引起爪３２が移動経路Ｍに沿って起立姿勢で移動することにより、植立穀稈が縦引起爪３２によって引き起こされる。
【００４２】
ここで、縦引起装置１７は、縦引起爪３２の先端が開口部１５Ａ内で分草具１５の上端と下端とに亘り、かつ、分草具フレーム３１の上端よりも下方の位置を通過する回転軌跡Ｔを描くように構成されている。本実施形態では、縦引起爪３２の先端の回転軌跡Ｔは、分草具フレーム３１の上下方向の中心Ｃよりも下方の位置に設定されている。
【００４３】
また、縦引起爪３２の先端の回転軌跡Ｔは、取付プレート６０の前端よりも前方の位置まで開口部１５Ａ内に入り込んだ位置、すなわち、分草具１５の前後方向の長さの半分以上開口部１５Ａ内に入り込んだ位置に設定されている。さらに、縦引起爪３２の先端の回転軌跡Ｔは、横引起爪２５の先端の回転軌跡（図６における横引起爪２５の先端の位置）よりも下方の位置に設定されていると共に、分草具フレーム３１の下端と略一致する位置に設定されている。
【００４４】
〔回転パッカの拡散部材〕
図９に示すように、回転パッカ２０は、回転軸２４の下端部にパッカホルダ４４を介して相対回転不能に固定されている。回転パッカ２０は、パッカホルダ４４にボルト４５によって固定されている。回転パッカ２０の下側には、拡散部材４６が回転パッカ２０の下面から垂れ下がるように設けられている。
【００４５】
拡散部材４６は、例えば、一つであるが、二つ以上であってもよい。拡散部材４６は、可撓性を有する部材、例えば、ゴムホースによって構成されている。拡散部材４６は、その一端部が回転パッカ２０の下面にボルト４５によって固定されている。すなわち、拡散部材４６は、回転パッカ２０と共にパッカホルダ４４にボルト４５によって共締め固定されている。
【００４６】
このような構成により、回転パッカ２０が回転軸２４を介して回転すると、拡散部材４６が回転パッカ２０と一体的に回転する。こうして、拡散部材４６が回転することにより、回転パッカ２０の下方に存在するワラ屑（ハカマ）が拡散部材４６によって拡散される。これにより、回転パッカ２０の下方、すなわち、切断装置１９の上方に、ワラ屑（ハカマ）が溜まるのを防止することができる。
【００４７】
〔左刈取ホルダの位置固定〕
図１０から図１３に示すように、左刈取ホルダ１１は、刈取ホルダフレーム４７に軸心Ｚ１周りで揺動可能に支持されている。左刈取ホルダ１１は、通常作業姿勢の位置とメンテナンス姿勢の位置の夫々に固定可能に構成されている。
【００４８】
詳述すると、左刈取ホルダ１１には、固定ピン４８を差込可能なピン孔１１ａが形成されていると共に、略Ｌ字形状のステー４９が取り付けられている。ステー４９は、左刈取ホルダ１１に沿う縦向き部４９Ａと、刈取ホルダフレーム４７に沿う横向き部４９Ｂと、を有している。ステー４９のうち縦向き部４９Ａは、取付ボルト５０によって左刈取ホルダ１１に固定されている。ステー４９のうち横向き部４９Ｂには、固定ボルト５１を差込可能なボルト孔４９ａが形成されている。
【００４９】
そして、図１３（ａ）に示すように、左刈取ホルダ１１を通常作業姿勢の位置に固定するには、左刈取ホルダ１１のピン孔１１ａと刈取ホルダフレーム４７の左差込孔４７ａとに、固定ピン４８を差し込むと共に、左刈取ホルダ１１のボルト孔４９ａと刈取ホルダフレーム４７の右差込孔４７ｂとに、固定ボルト５１を差し込む。これにより、左刈取ホルダ１１を通常作業姿勢の位置に固定することができる。
【００５０】
また、図１３（ｂ）に示すように、刈取部３をメンテナンス姿勢に変更するには、固定ピン４８及び固定ボルト５１を引き抜くことにより、刈取部３をメンテナンス姿勢に変更することができる。そして、左刈取ホルダ１１をメンテナンス姿勢の位置に固定するには、左刈取ホルダ１１のピン孔１１ａと刈取ホルダフレーム４７の右差込孔４７ｂとに、固定ピン４８を差し込む。これにより、左刈取ホルダ１１をメンテナンス姿勢の位置に固定することができる。
【００５１】
ここで、図１０から図１３に示すように、左刈取ホルダ１１には、固定ピン４８の持ち手部４８ａを引掛けることが可能な引掛部１１ｂが形成されている。これにより、例えば、刈取部３をメンテナンス姿勢に変更するに際して、固定ピン４８を刈取ホルダフレーム４７の左差込孔４７ａから引き抜いた状態で、固定ピン４８の持ち手部４８ａを引掛部１１ｂに引掛けておけば、固定ピン４８を左刈取ホルダ１１のピン孔１１ａに差し込んだ状態で仮置きすることができる。そして、刈取部３をメンテナンス姿勢に変更した後、引掛部１１ｂに対する固定ピン４８の引掛けを解除すれば、固定ピン４８を刈取ホルダフレーム４７の右差込孔４７ｂまで差し込むことができる。なお、詳細な説明は省略するが、刈取部３を通常作業姿勢に変更するに際しても同様である。
【００５２】
このような構成により、左刈取ホルダ１１を、通常作業姿勢の位置とメンテナンス姿勢の位置の夫々に、固定ピン４８と固定ボルト５１の両方によって固定することにより、いずれか一方によって固定する場合と比較して、振動等による刈取入力ケース８の支持箇所（刈取入力ケース８と左刈取ホルダ１１や右刈取ホルダ１２との間）における、かじれ（摩耗）の発生を抑制することができる。
【００５３】
〔刈取入力ケースの受け部〕
図１４に示すように、刈取入力ケース８と右刈取ホルダ１２との間には、ブッシュ５２が介設されている。また、刈取入力ケース８のうちブッシュ５２よりも右側の部分には、カラー５３が抜け止めされた状態で外嵌されている。
【００５４】
ここで、刈取入力ケース８及び右刈取ホルダ１２は、ダクタイル鋳鉄（ＦＣＤ４５０）製であるところ、刈取入力ケース８と右刈取ホルダ１２との間における、かじれ（摩耗）の発生を抑制するべく、刈取入力ケース８及び右刈取ホルダ１２とは硬度が異なる素材のブッシュ５２を採用している。この場合、ブッシュ５２と刈取入力ケース８との間、若しくは、ブッシュ５２と右刈取ホルダ１２との間、又は、これらの両方に、グリス溜りが形成されているとよい。
【００５５】
〔別実施形態〕
（１）上記実施形態において、分草具１５は、略Ｖ字形状の棒状部材によって構成されているが、図１５に示すように、分草具１１５は、後方に向かって開口する開口部１１５Ａを有する略Ｕ字形状の棒状部材によって構成されていてもよい。また、図１６に示すように、分草具２１５に、後方に向かって開口する開口部２１５Ａが形成されていてもよい。
【００５６】
（２）上記実施形態において、分草具１５は、ガイド棒と一体に形成されているが、別体に形成されていてもよい。すなわち、分草具１５を取付プレート６０の前端の直上方の位置で前後に分割し、前側部分を分草具、後側部分をガイド棒としてもよい。
【００５７】
（３）上記実施形態において、開口部１５Ａは、分草具１５の前端部まで達するように形成されているが、分草具１５の前端と後端とに亘って分草具１５を貫通するように形成されていてもよい。すなわち、分草具１５の前端部が前方に開口するように形成されていてもよい。
【００５８】
（４）上記実施形態において、縦引起爪３２の先端の回転軌跡Ｔは、分草具１５の上手方向の中心Ｃよりも下方の位置に設定されているが、本発明はこれに限定されない。すなわち、縦引起装置１７は、縦引起爪３２の先端が分草具１５の上端よりも下方の位置を通過する回転軌跡Ｔを描くように構成されていれば、縦引起爪３２の先端の回転軌跡Ｔは、分草具１５の上下方向の中心Ｃよりも上方の位置に設定されていてもよい。
【産業上の利用可能性】
【００５９】
本発明は、植立穀稈を分草する分草具と、機体の進行方向に沿う姿勢で設けられる引起装置と、を備える自脱型コンバインに利用可能である。
【符号の説明】
【００６０】
１５  分草具
１５Ａ  開口部
１７  縦引起装置（引起装置）
３１  分草具フレーム
３２  縦引起爪（引起爪）
３３  縦引起チェーン（無端回動体）
６０ 取付プレート
Ｃ  中心
Ｔ  回転軌跡
【図１】
0006257492.tif 000002
【図２】
0006257492.tif 000003
【図３】
0006257492.tif 000004
【図４】
0006257492.tif 000005
【図５】
0006257492.tif 000006
【図６】
0006257492.tif 000007
【図７】
0006257492.tif 000008
【図８】
0006257492.tif 000009
【図９】
0006257492.tif 000010
【図１０】
0006257492.tif 000011
【図１１】
0006257492.tif 000012
【図１２】
0006257492.tif 000013
【図１３】
0006257492.tif 000014
【図１４】
0006257492.tif 000015
【図１５】
0006257492.tif 000016
【図１６】
0006257492.tif 000017